(57)【特許請求の範囲】
【請求項１】
ＭＲイメージング・システムで使用するための可変ＦＯＶを有するコイル・アセンブリであって、
偏向磁場を生成するようにマグネットのボアの周りに位置決めされ、前記ＦＯＶを取り囲む位置に位置付けられた第１の傾斜コイルと、
前記第１の傾斜コイルの両端部において、前記ＦＯＶを取り囲まない位置に互いに離間して位置付けられ、傾斜磁場の直線性を調整するように構成された一対の傾斜コイルを備える第２の傾斜コイル・アセンブリと、
前記第１の傾斜コイル・アセンブリによる前記マグネット内でのうず電流誘導を防止するように構成されている、前記第１の傾斜コイル・アセンブリに対する第１の遮蔽用コイルと、
前記第２の傾斜コイル・アセンブリによる前記マグネット内でのうず電流誘導を防止するように構成されている、前記第２の傾斜コイル・アセンブリに対する第２の遮蔽用コイルとを備える、コイル・アセンブリと、
前記ＦＯＶのＭＲ画像を収集させるようにＲＦコイル・アセンブリにＲＦ信号を送信するようにパルスモジュールによって制御を受けるＲＦ送受信器システム及びＲＦスイッチと、
命令の受信に基づいて前記第２の傾斜コイルの電流の大きさを第１の傾斜コイルに対して独立して変調させることによって前記ＦＯＶの大きさを無段方式で変更するための制御機構と、
を備える磁気共鳴イメージング（ＭＲＩ）システム。
【請求項２】
前記第１の傾斜コイル・アセンブリと前記第２の傾斜コイル・アセンブリとが同一表面上に配置されており、前記第１の傾斜コイル・アセンブリと前記第２の傾斜コイル・アセンブリとの間に重複がない、請求項１に記載のＭＲＩシステム。
【請求項３】
前記制御機構はさらに、ＦＯＶの範囲内で可変的直線性（ｖａｒｉａｂｌｅ ｌｉｎｅａｒｉｔｙ）を生成させるために前記第２の傾斜コイル・アセンブリ及び前記第１の傾斜コイルを独立した電源によって並列に駆動するように構成されている、請求項１又は２に記載のＭＲＩシステム。
【請求項４】
前記制御機構は、傾斜コイルの効率に影響を及ぼさずに前記傾斜コイルの直線性を無段方式で変化させるように前記第２の傾斜コイル・アセンブリを付勢している、請求項１乃至３のいずれかに記載のＭＲＩシステム。
【請求項５】
前記制御機構は、前記第２の傾斜コイル・アセンブリの電流の極性を変調することによってＦＯＶを変化させている、請求項１乃至４のいずれかに記載のＭＲＩシステム。
【発明の詳細な説明】
【０００１】
【発明の属する技術分野】
本発明は、全般的には磁気共鳴イメージング（ＭＲＩ）に関し、さらに詳細には、傾斜コイルの周りに配列させかつ改良型の撮像域調整を可能にするように製作した高位傾斜コイルを有する傾斜コイル組に関する。
【０００２】
【発明の背景】
人体組織などの物質を均一な磁場（偏向磁場Ｂ0）にかけると、組織中のスピンの個々の磁気モーメントはこの偏向磁場と整列しようとして、この周りをラーモアの特性周波数で無秩序に歳差運動することになる。この物質（または組織）に、ｘ−ｙ平面内にありラーモア周波数に近い周波数をもつ磁場（励起磁場Ｂ1）がかけられると、正味の整列モーメントまたは「縦方向磁化」Ｍzは、ｘ−ｙ平面内に来るように回転させられ（すなわち、「傾けられ（ｔｉｐｐｅｄ）」）、正味の横方向磁気モーメントＭtが生成される。励起信号Ｂ1を停止させた後、励起したスピンにより信号が放出され、さらにこの信号を受信し処理して画像を形成することができる。
【０００３】
これらの信号を用いて画像を作成する際には、磁場傾斜（Ｇx、Ｇy及びＧz）が利用される。典型的には、撮像しようとする領域は、使用する具体的な位置特定方法に従ってこれらの傾斜を変更させている一連の計測サイクルによりスキャンを受ける。結果として得られる受信ＮＭＲ信号の組は、ディジタル化され処理され、よく知られている多くの再構成技法のうちの１つを用いて画像が再構成される。
【０００４】
マグネットのボアの周りにイメージングのための傾斜磁場を発生させるために傾斜コイルを使用することは、核磁気共鳴イメージングの分野において周知である。一般に、患者は検査用寝台の上に位置決めし、マグネットのボア内に挿入する。このマグネットはボア全体にわたって均一な磁場Ｂ0を提供する。傾斜コイルはこのボアの周りに延伸しており、時間変化する磁場が均一な磁場上に付加されるように付勢を受ける。
【０００５】
従来の傾斜コイルは固定した撮像域（ＦＯＶ）を有する。一般に、ＦＯＶが大きいほど、そのそれぞれのコイルに対する効率定格が低下することはよく知られている。すなわち、所与の傾斜強度を発生させる際に、大きなＦＯＶをもつ傾斜コイルは小さいＦＯＶをもつ傾斜コイルと比べてより多くの電力を必要とする。コイルのインダクタンスはＦＯＶの大きさに従って増加するため、所与の電源に関して大きなＦＯＶをもつ傾斜コイルはスルーレートが低下する。さらに、ＦＯＶが大きいとその関連するｄＢ／ｄｔが大きく、末梢神経刺激を生じさせる可能性があるため、大きな傾斜電力及び高いスルーレートを要するイメージング・プロトコルは一般に、小さいＦＯＶ傾斜の組を装備したＭＲＩシステム上で実行される。
【０００６】
ＭＲＩシステムの傾斜磁場に対して複数のＦＯＶを設けるような多くの改良がなされてきた。その一方式は、１つのシステム上に２組の傾斜コイルを組み込み、異なる最大３つのＦＯＶサイズを提供することである。この方式によってコイルを製造することは比較的簡単明瞭であるが、コイル効率は大きく低下する。別の方式では、傾斜コイル巻き線のある部分を無効または有効にしてＦＯＶを調整することが必要である。この方式ではコイル効率が改善されるが、こうしたシステムでは、コイル巻き線内にその巻き線のある部分を有効または無効にするような切換器が必要となり、これにより製造及び実装の複雑性が増加する。
【特許文献１】
米国特許第６１４７４９３号
【０００７】
【発明が解決しようとする課題】
したがって、高価な切換を必要とせずにコイル効率を維持させた無段可変のＦＯＶ調整を可能にするような傾斜コイル組を組み込んだＭＲイメージングのシステム及び方法があることが望ましい。
【０００８】
【課題を解決するための手段】
本発明は、上述の欠点を克服した可変ＦＯＶ調整を備えた傾斜コイル組を実装しているＭＲイメージングのシステム及び方法を提供する。
【０００９】
本発明の一態様では、ＭＲイメージング・システムで使用するために柔軟なＦＯＶを有するコイル・アセンブリは、傾斜磁場を発生させるように撮像軸の周りに配置した傾斜コイルを備える。この傾斜コイルは第１の端部と第２の端部を有する。このコイル・アセンブリはさらに高位傾斜コイルを含んでおり、この高位傾斜コイルの第１の部分は傾斜コイルの第１端部の少なくとも一部分と重複するように位置決めされており、かつこの高位傾斜コイルの第２の部分は傾斜コイルの第２端部の少なくとも一部分と重複するように位置決めされている。
【００１０】
本発明の別の態様では、撮像ＦＯＶが変化するようなＭＲＩ装置を開示する。本装置は、偏向磁場を発生させるようにマグネットのボアの周りに位置決めした多数の傾斜コイルと、ＲＦコイル・アセンブリにＭＲ画像を収集させるＲＦ信号を送信するようにパルス制御モジュールによって制御を受けるＲＦ送受信器システム及びＲＦ変調器と、を有するＭＲＩシステムを含む。本ＭＲＩ装置はさらに、撮像軸の周りに配置させた少なくとも１つの高位傾斜コイルであって、傾斜磁場直線性を調整するように構成されると共に全体として複数の傾斜コイルの周りに配置させている高位傾斜コイルと、この少なくとも１つの高位傾斜コイルの電流を変調することによってＦＯＶを変化させるための制御機構と、含む。
【００１１】
本発明のまた別の態様では、ＭＲイメージング装置向けのコイル・アセンブリの製造方法を提供する。本方法は、第１と第２の端部を有する第１次傾斜コイルをマグネットのボアの周りに位置決めするステップを含む。本方法はさらに、高位傾斜コイルの第１の部分を第１の端部の少なくとも一部分の周りで円周方向に位置決めし、かつ高位傾斜コイルの第２の部分を第２の端部の少なくとも一部分の周りで円周方向に位置決めするステップを含む。これら第１と第２の部分は、第１の部分が第１次傾斜コイルの第１の端部と重複し、かつ第２の部分が第１次傾斜コイルの第２の端部と重複するようにして位置決めしている。
【００１２】
本発明のさらに別の態様では、傾斜磁場を発生させるための傾斜コイル及び独立の高位傾斜コイルを有するＭＲシステムを用いて可変ＦＯＶを生成させる方法を提供する。本方法は、ＦＯＶ内の収集信号を空間エンコードするような磁場の傾斜をもつ傾斜磁場を発生させるような電流によって傾斜コイル及び高位傾斜コイルを付勢するステップを含む。本方法はさらに、独立の高位傾斜コイルの電流を変調してＦＯＶを変更するステップを含む。
【００１３】
本発明のその他の様々な特徴、目的及び利点は、以下の詳細な説明及び図面より明らかとなろう。
【００１４】
本図面では、本発明を実施するように目下のところ企図されている好ましい実施の一形態を図示している。
【００１５】
【発明の実施の形態】
無段可変の撮像域（ＦＯＶ）調整が可能なＭＲ画像を収集するためのシステムを図示し説明する。図１を参照すると、本発明を組み込んでいる好ましい磁気共鳴イメージング（ＭＲＩ）システム１０の主要コンポーネントを表している。本システムの動作は、キーボードその他の入力デバイス１３、制御パネル１４及びディスプレイまたはスクリーン１６を含むオペレータ・コンソール１２から制御を受けている。コンソール１２は、オペレータが画像の作成及びスクリーン１６上への画像表示を制御できるようにする独立のコンピュータ・システム２０と、リンク１８を介して連絡している。コンピュータ・システム２０は、バックプレーン２０ａを介して互いに連絡している多くのモジュールを含んでいる。これらのモジュールには、画像プロセッサ・モジュール２２、ＣＰＵモジュール２４、並びに当技術分野でフレーム・バッファとして知られている画像データ・アレイを記憶するためのメモリ・モジュール２６が含まれている。コンピュータ・システム２０は、画像データ及びプログラムを記憶するためにディスク記憶装置２８及びテープ駆動装置３０とリンクしており、さらに高速シリアルリンク３４を介して独立のシステム制御部３２と連絡している。入力デバイス１３は、マウス、ジョイスティック、キーボード、トラックボール、タッチ作動スクリーン、光学読取り棒、音声制御器、あるいは同様な任意の入力デバイスや同等の入力デバイスを含むことができ、また入力デバイス１３は対話式の幾何学的指定をするために使用することができる。
【００１６】
システム制御部３２は、バックプレーン３２ａにより互いに接続させたモジュールの組を含んでいる。これらのモジュールには、ＣＰＵモジュール３６や、シリアルリンク４０を介してオペレータ・コンソール１２に接続させたパルス発生器モジュール３８が含まれる。システム制御部３２は、実行すべきスキャン・シーケンスを指示するオペレータからのコマンドをリンク４０を介して受け取っている。パルス発生器モジュール３８は、各システム・コンポーネントを動作させて所望のスキャン・シーケンスを実行させると共に、発生したＲＦパルスのタイミング、強度及び形状、並びにデータ収集ウィンドウのタイミング及び長さを指示しているデータを発生させている。パルス発生器モジュール３８は、スキャン中に発生させる傾斜パルスのタイミング及び形状を指示するために一組の傾斜増幅器４２と接続させている。パルス発生器モジュール３８はさらに、患者に接続した多数の異なるセンサからの信号（例えば、患者に装着した電極からのＥＣＧ信号）を受け取っている生理学的収集制御器４４から患者データを受け取ることができる。また最終的には、パルス発生器モジュール３８はスキャン室インタフェース回路４６と接続させており、スキャン室インタフェース回路４６はさらに、患者及びマグネット系の状態に関連する様々なセンサからの信号を受け取っている。このスキャン室インタフェース回路４６を介して、患者位置決めシステム４８はスキャンのために患者を所望の位置に移動させるコマンドを受け取っている。
【００１７】
パルス発生器モジュール３８が発生させる傾斜波形は、Ｇx増幅器、Ｇy増幅器及びＧz増幅器を有する傾斜増幅器システム４２に加えられる。各傾斜増幅器は、収集した信号の空間的エンコードに使用する磁場傾斜を生成させるように傾斜コイル・アセンブリ（全体を番号５０で示す）内の対応する物理的傾斜コイルを励起させている。傾斜磁場コイル・アセンブリ５０は、偏向用マグネット５４及び全身用ＲＦコイル５６を含んでいるマグネット・アセンブリ５２の一部を形成している。システム制御部３２内の送受信器モジュール５８は、ＲＦ増幅器６０により増幅を受け送信／受信スイッチ６２によりＲＦコイル５６に結合するようなパルスを発生させている。患者内の励起された原子核が放出して得た信号は、同じＲＦコイル５６により検知し、送信／受信スイッチ６２を介して前置増幅器６４に結合させることができる。増幅されたＭＲ信号は、送受信器５８の受信器部分で復調され、フィルタ処理され、さらにディジタル化される。送信／受信スイッチ６２は、パルス発生器モジュール３８からの信号により制御し、送信モードではＲＦ増幅器６０をコイル５６と電気的に接続させ、受信モードでは前置増幅器６４をコイル５６と電気的に接続させる。送信／受信スイッチ６２によりさらに、送信モードと受信モードのいずれに関しても同じ単独のＲＦコイル（例えば、表面コイル）を使用することが可能となる。
【００１８】
ＲＦコイル５６により取り込まれたＭＲ信号は送受信器モジュール５８によりディジタル化され、システム制御部３２内のメモリ・モジュール６６に転送される。未処理のｋ空間データのアレイをメモリ・モジュール６６に収集し終わると、１回のスキャンが完了となる。この未処理のｋ空間データは、各画像を再構成させるように別々のｋ空間データ・アレイの形に配置し直している。さらに、これらの各々は、データをフーリエ変換して画像データのアレイにするように動作するアレイ・プロセッサ６８に入力される。この画像データはシリアルリンク３４を介してコンピュータ・システム２０に送られ、コンピュータ・システム２０において画像データはディスク記憶装置２８などメモリ及び／またはその他の記憶メディア内に記憶される。この画像データは、オペレータ・コンソール１２から受け取ったコマンドに応じて、テープ駆動装置３０上など長期用メモリにアーカイブしたり、画像プロセッサ２２によりさらに処理してオペレータ・コンソール１２に伝達したりディスプレイ１６上に表示させたりすることができる。
【００１９】
図２を参照すると、図１を参照しながら開示したシステムなどのＭＲＩシステムで使用するための傾斜コイル・アセンブリ１００の実施の一形態を表している。傾斜コイル・アセンブリ１００は、仮想的に表した第１次傾斜コイル１０２を含んでいる。コイル・アセンブリ１００はさらに、第１次高位傾斜コイル・アセンブリ１０４を含む。コイル・アセンブリ１０４は、第１の半分１０４（ａ）と第２の半分１０４（ｂ）を含む。コイル１０４の周りで円周方向には第２次高位傾斜コイル１０６が位置決めされている。コイル１０６は、第１次高位傾斜コイル・アセンブリ１０４に対する遮蔽用コイルの働きをする。遮蔽用コイル１０６は図１のマグネット５２内にうず電流が誘導されるのを防止するのに役立つ。コイル・アセンブリ１００はさらに、コイル１０６の周りで円周方向に配置した第２次傾斜コイル１０８を含む。コイル１０８は、第１次傾斜コイル１０２に対する遮蔽用コイルの役割を果たすと共に、同様にマグネット内にうず電流が誘導されるのを防止する働きをしている。
【００２０】
図３は、図２のコイル・アセンブリ１００の分解図であって、コイル・アセンブリ１００の同心円状の特徴を表している。コイル・アセンブリ１００は、第１次傾斜コイル１０２の半径Ｒiが、第１次高位傾斜コイル１０４の半径Ｒjより小さくなるように設計している。同様に、Ｒjは第２次高位傾斜コイル１０６の半径Ｒkより小さい。第２次傾斜コイル１０８は第２次シムコイル１０６の半径を超える半径Ｒlを有する。このため、傾斜コイル・アセンブリ１００は、コイル１０２がコイル１０４の内部に配置されるように設計されている。さらに、コイル１０４はコイル１０６の内部に位置決めされるように設計され、コイル１０６は同様にコイル１０８の内部に位置決めされるように設計されている。
【００２１】
ここで図４を参照すると、コイル・アセンブリ１００の断面図を表している。図４は、コイル・アセンブリ１００の同心円的な特質を図示している。上で指摘したように、コイル１０２はコイル１０４の内部に配置され、またコイル１０４はコイル１０６の内部に配置され、さらにこれらは一緒にコイル１０８の内部に配置されている。図のように、ＦＯＶ１１２は傾斜コイル１０２と関連しており、コイル・アセンブリ１００全体と関連するＦＯＶ１１４と比べてより小さい。高位傾斜コイル１０４を使用すると、ＦＯＶ１１２のサイズをＦＯＶ１１４まで増分式（ｉｎｃｒｅｍｅｎｔａｌｌｙ）または無段可変式（ｉｎｆｉｎｉｔｅ  ｖａｒｉａｂｉｌｉｔｙ）で増加させることが可能となる。
【００２２】
この動作モードには、傾斜コイル１０２を単独で動作させることや、コイル１０２とコイル１０４を直列に接続しＦＯＶ１１４などのより大きなＦＯＶを生成させることが含まれる。コイル１０２とコイル１０４は、コイル１０２単独によって生じさせるＦＯＶと比べてより小さいＦＯＶを生成させるように協同して動作させることがあることに留意すべきである。さらに、コイル１０２及び１０４は、ＦＯＶの範囲内に可変の直線性を生成させるように独立した電源で並列に駆動させることがある。上で指摘したように、コイル１０６及び１０８などの遮蔽用コイルは、マグネット内でうず電流の誘導を防止するために実装するされることがある。
【００２３】
高位傾斜コイル１０４を傾斜コイル１０２と一体化することによって、そのＦＯＶはコイル１０４の電流の調整によって変更することができる。例えば、ｘ方向の傾斜を考えてみると、ｘ傾斜コイルが発生させる磁場のｚ成分は、次式で示すような球面調和項（ｓｐｈｅｒｉｃａｌ  ｈａｒｍｏｎｉｃｓ）に展開できる。
Ｂzg＝Ｇxｘ＋ａ3Ｈｃ31＋ａ5Ｈｃ51＋．．．    （式１）
上式において、Ｈｃn1（ｎ＝３，５，．．．）は、球体調和関数（ｓｏｌｉｄ  ｓｐｈｅｒｉｃａｌ  ｈａｒｍｏｎｉｃ  ｆｕｎｃｔｉｏｎ）である。Ｇxは傾斜コイルによって決まる傾斜強度であり、また係数ａnは傾斜すなわちＦＯＶの直線性を決定している。１つまたは複数の高位傾斜コイルまたはシムコイルは、次式で規定されるような磁場のｚ成分を生成するように設計している。
Ｂzs＝ｂ3Ｈｃ31＋ｂ5Ｈｃ51＋．．．    （式２）
したがって、傾斜コイル１０２及び高位傾斜コイル１０４により生成される全傾斜磁場は次式で与えられる。
Ｂz＝Ｇxｘ＋（ａ3＋ｂ3）Ｈｃ31＋（ａ5＋ｂ5）Ｈｃ51＋．．．    （式３）
（式３）は、ｂnの符号及び／または大きさを変化させることによって全傾斜磁場の撮像域に対する直線性を変更できることを示している。ｂnの符号と大きさは、高位傾斜コイルに対する電流の極性と大きさを、一緒にまたは独立に変更することによって変化させることができる。上で指摘したように、高位傾斜またはシムコイルの電流を変更することによりＦＯＶが大きくなったり小さくなったりする。したがって、磁場シム調整に使用される従来型のシムコイルと異なり、この「シムコイル」は従来の傾斜コイルと同種の要件を満足することは明らかである。周知のように、こうした要件には、高い効率定格をもちながらインダクタンス及び抵抗が小さいことが含まれる。
【００２４】
ここで図５を参照すると、本発明による傾斜コイル・アセンブリの別の実施形態を表している。この実施形態では、コイル・アセンブリ２００は、第１次傾斜コイル２０８用の遮蔽用コイルとして動作する第２次傾斜コイル２０２を含む。コイル・アセンブリ２００はさらに、第１次高位傾斜コイル２０６用の遮蔽用コイルとして動作する第２次高位傾斜コイル２０４を含む。この実施形態では、第１次傾斜コイル２０８と第１次高位傾斜コイル・アセンブリ２０６は同一表面上に配置しており、このためこの２つのコイル間には重複がない。次いで、合成させたコイル組２０６及び２０８は、コイル２０２の内部に配置されたコイル２０４に対して同心円状に配置させている。すなわち、コイル２０６と２０８は同じ半径を有しており、一方コイル２０４の半径は、コイル２０６及び２０８の半径と比べてより大きいがコイル２０２の半径よりは小さい。図２〜４のコイル・アセンブリ１００と同様に、コイル・アセンブリ２０６の電流を変調することによってこれらのコイルの物理的制約内で同じ無段方式でＦＯＶを変更することが可能となる。
【００２５】
本発明の実施の一形態では、ＭＲイメージング・システムで使用するための柔軟なＦＯＶを有するコイル・アセンブリは、傾斜磁場を発生させるように撮像軸の周りに配置した傾斜コイルを含む。この傾斜コイルは第１の端部と第２の端部を有する。コイル・アセンブリはさらに、傾斜コイルの第１端部の少なくとも一部分と重複するように位置決めした高位傾斜コイルの第１の部分と、傾斜コイルの第２端部の少なくとも一部分と重複するように位置決めした高位傾斜コイルの第２の部分と、を含む。
【００２６】
本発明の別の実施形態では、撮像ＦＯＶが変化するようなＭＲＩ装置を開示する。本装置は、偏向磁場を発生させるようにマグネットのボアの周りに位置決めした多数の傾斜コイルと、ＲＦコイル・アセンブリにＭＲ画像を収集させるＲＦ信号を送信するようにパルス制御モジュールによって制御を受けるＲＦ送受信器システム及びＲＦ変調器と、を有するＭＲＩシステムを含む。本ＭＲＩ装置はさらに、撮像軸の周りに配置させた少なくとも１つの独立の高位傾斜コイルであって、この撮像軸において傾斜磁場直線性を調整するように構成すると共に全体として複数の傾斜コイルの周りに配置させている高位傾斜コイルと、命令の受信に基づいてこの少なくとも１つの高位傾斜コイルの電流を変調することによってＦＯＶを変化させるための制御機構と、含む。
【００２７】
本発明のまた別の実施形態では、ＭＲイメージング装置向けのコイル・アセンブリの製造方法を提供する。本方法は、第１と第２の端部を有する第１次傾斜コイルをマグネットのボアの周りに位置決めするステップを含む。本方法はさらに、高位傾斜コイルの第１の部分を第１の端部の少なくとも一部分の周りで円周方向に位置決めし、かつ高位傾斜コイルの第２の部分を第２の端部の少なくとも一部分の周りで円周方向に位置決めするステップを含む。高位傾斜コイルの第１と第２の部分は、高位傾斜コイルの第１の部分が第１次傾斜コイルの第１の端部と重複し、かつ高位傾斜コイルの第２の部分が第１次傾斜コイルの第２の端部と重複するようにして位置決めしている。
【００２８】
本発明のさらに別の実施形態では、傾斜磁場を発生させるための傾斜コイル及び独立の高位傾斜コイルを有するＭＲシステムを用いて可変ＦＯＶを生成させる方法を提供する。本方法は、ＦＯＶ内の収集信号を空間エンコードするような磁場の傾斜をもつ傾斜磁場を発生させるような電流によって傾斜コイル及び高位傾斜コイルを付勢するステップを含む。本方法はさらに、独立の高位傾斜コイルの電流を変調してＦＯＶを変更するステップを含む。
【００２９】
本発明を好ましい実施形態について記載してきたが、明示的に記述した以外に、本特許請求の範囲の域内で等価、代替及び修正が可能であることを理解されたい。
【図面の簡単な説明】
【図１】本発明で使用するＭＲイメージング・システムの概略ブロック図である。
【図２】本発明の実施の一形態による傾斜コイル組の斜視図である。
【図３】図２に示す傾斜コイル組の分解図である。
【図４】図２に示す傾斜コイル組の断面図である。
【図５】本発明の別の実施形態による傾斜コイル組の斜視図である。
【符号の説明】
１０  ＭＲＩシステム
１２  オペレータ・コンソール
１３  入力デバイス
１４  制御パネル
１６  スクリーン、ディスプレイ
１８  リンク
２０  コンピュータ・システム
２０ａ  バックプレーン
２２  画像プロセッサ・モジュール
２４  ＣＰＵモジュール
２６  メモリ・モジュール
２８  ディスク記憶装置
３０  テープ駆動装置
３２  システム制御部
３２ａ  バックプレーン
３４  高速シリアルリンク
３６  ＣＰＵモジュール
３８  パルス発生器モジュール
４０  シリアルリンク
４２  傾斜増幅器
４４  生理学的収集制御器
４６  スキャン室インタフェース回路
４８  患者位置決めシステム
５０  傾斜コイル、傾斜磁場コイル・アセンブリ
５２  マグネット・アセンブリ
５４  偏向用マグネット
５６  ＲＦコイル
５８  送受信器モジュール
６０  ＲＦ増幅器
６２  送信／受信スイッチ
６４  前置増幅器
６６  メモリ・モジュール
６８  アレイ・プロセッサ
１００  傾斜コイル・アセンブリ
１０２  第１次傾斜コイル
１０４  第１次高位傾斜コイル・アセンブリ
１０４（ａ）  第１次高位傾斜コイルの第１の半分
１０４（ｂ）  第１次高位傾斜コイルの第２の半分
１０６  第２次高位傾斜コイル
１０８  第２次傾斜コイル
１１２  傾斜コイル１０２と関連するＦＯＶ
１１４  コイル・アセンブリ１００全体と関連するＦＯＶ
２００  コイル・アセンブリ
２０２  第２次傾斜コイル
２０４  第２次高位傾斜コイル
２０６  第１次高位傾斜コイル
２０８  第１次傾斜コイル
【図１】
0004465158.tif 000002
【図２】
0004465158.tif 000003
【図３】
0004465158.tif 000004
【図４】
0004465158.tif 000005
【図５】
0004465158.tif 000006